(57)【要約】【課題】製造コストが安くメインテナンスを容易に行うことができる観測用ブイのアンテナケースを提供する。【解決手段】ブイの蓋に固定されるケース底板１と前記ケース底板１に締着されるケース上板２との間にシール材６、７を介装してアンテナ３を収容する空間３ａを水密に形成する観測用ブイのアンテナケース３において、前記ケース底板１またはケース上板２の一方において前記シール材６、７の外側の位置に貫通ねじ穴１ａを設け、前記貫通ねじ穴１ａにボルト８をねじ込み、前記ボルト８の先端で前記ケース底板１またはケース上板２の他方を押してケース底板１とケース上板２を離間させることを可能とした。【選択図】図３
2010028410.tif 000002
【特許請求の範囲】
【請求項１】
ブイの蓋に固定されるケース底板と前記ケース底板に締着されるケース上板との間にシール材を介装してアンテナを収容する空間を水密に形成する観測用ブイのアンテナケースにおいて、前記ケース底板またはケース上板の一方において前記シール材の外側の位置に貫通ねじ穴を設け、前記貫通ねじ穴にボルトをねじ込み、前記ボルトの先端で前記ケース底板またはケース上板の他方を押してケース底板とケース上板を離間させることを可能とした観測用ブイのアンテナケース。
【請求項２】
前記貫通ねじ穴は同一円周上等間隔に複数個設けられている請求項１の観測用ブイのアンテナケース。
【請求項３】
前記ケース底板を貫通する防水コネクタを介して前記ブイ内に配置される送受信機と前記アンテナとが接続される請求項１または２の観測用ブイのアンテナケース。
【発明の詳細な説明】
【技術分野】
【０００１】
この発明は気象や地球環境のデータを観測するための観測用ブイのアンテナケースに関する。
【背景技術】
【０００２】
従来から海上の気象データや海中の温度等のデータを取得するデータ取得装置として、海上に浮かべるブイが使用されていた。これにより収集したデータは無線装置とアンテナで送信され、通信衛星を介して地上局に送られる。
【０００３】
一般にこのアンテナは、ブイ内に組み込まれたり、ブイの外に設置する防水構造のアンテナケース内に配置されていた。また、ブイを一か所で用いる係留ブイの場合は、ブイを回収してメインテナンスを行い再利用されることが多い。このため、ブイの無線装置用アンテナも長期間使用される。そして、そのアンテナケースはアンテナの耐環境を考慮してアンテナ収容空間が一般的に完全密閉構造となっている。
【０００４】
そのような、従来の観測用ブイのアンテナケースの例を図４おび図５により説明する。図４は従来の観測用ブイのアンテナケースを一部部材を透視して示す平面図、図５（ａ）は図４におけるＡ−Ａ断面図、図５（ｂ）は図４におけるＡ−Ａ断面の他の状態を示す部分断面図である。
【０００５】
図４，５に示すケース底板１１はケース底板１１のボルト貫通穴１１ａ、１１ａ…を貫通しケース上板１２のねじ穴１２ａ、１２ａにねじ込まれるボルトによってケース上板１２に締着されて、ケース上板１２と共に内部にアンテナ収容空間１３ａを有するアンテナケース１３を構成する。ケース上板１２とケース底板１１はＯリング６およびＯリング７を挟みこんでおり、アンテナ収容空間１３ａは防水された空間となる。
【０００６】
ケース底板１１の取付用ねじ穴１１ｃ、１１ｃ…には図示していないブイの蓋の穴を貫通したボルトがねじ込まれアンテナケース１３はブイの蓋に固定される。取付用ねじ穴１１ｃ、１１ｃ…の周囲にはシール材が挟みこまれ取付用ねじ穴１１ｃ、１１ｃ…の周囲の部分は防水構造となっている。アンテナ収容空間１３ａ内に配置されたアンテナ４の給電点４ａはケース底板１１を貫通する防水コネクタ５およびコードを介してブイ内に配置された送受信機に接続される。
【０００７】
定期点検時に、上記アンテナ収容空間１３ａ内に配置されたアンテナ４が腐食していないかどうかを検査し、また、給電点４ａの半田付け部分の腐食や防水コネクタ５の腐食等を検査するためにケース上板１２をケース底板１１から外す必要がある。その場合、ケース上板１２をケース底板１１に締着したボルトを外して、ケース上板１２をケース底板１１から離すことになる。
【０００８】
しかしながら、実環境下で使用していると、温度変化や気圧変化によりアンテナ収容空間１３ａ内の気圧が低くなる。このため、手で簡単に外すことができず、図５に示すように、板状の特殊工具１４を矢印で示すようにケース上板１２とケース底板１１の合わせ目に差し込んでケース上板１２とケース底板１１を離すのであるが、防水性能を高めるために２重シール構造となっていり、ゴム弾性を有するＯリングを用いているため、僅かな隙間ではアンテナ収容空間１３ａ内の気圧を高めることができず、２人がかりの作業となり、かなりの重労働となっていた。
【０００９】
特開平９−７９８７４号公報に開示された防水筐体のコネクタ等の配置構造では、防水筐体に透明部材を配置した窓を設け、この透明部材の両側に赤外線発光素子と赤外線受光素子を対向配置し、赤外線発光素子と赤外線受光素子の間でシリアルデータを非接触で送受する。
【００１０】
このような、このように非接触の送受方式を利用すると、蓋を開閉することなくデータ入出力作業を実行できるが、赤外線発光素子や赤外線受光素子等が必要となり、装置の製造コストが高くなるという問題があった。
【特許文献１】特開平９−７９８７４号公報、段落０００６、図１、図２
【発明の開示】
【発明が解決しようとする課題】
【００１１】
この発明は上記した点に鑑みてなされたものであって、その目的とするところは、製造コストが安くメインテナンスを容易に行うことができる観測用ブイのアンテナケースを提供することにある。
【課題を解決するための手段】
【００１２】
この発明の観測用ブイのアンテナケースは、ブイの蓋に固定されるケース底板と前記ケース底板に締着されるケース上板との間にシール材を介装してアンテナを収容する空間を水密に形成する観測用ブイのアンテナケースにおいて、前記ケース底板またはケース上板の一方において前記シール材の外側の位置に貫通ねじ穴を設け、前記貫通ねじ穴にボルトをねじ込み、前記ボルトの先端で前記ケース底板またはケース上板の他方を押してケース底板とケース上板を離間させることを可能としたものである。
【００１３】
また、前記観測用ブイのアンテナケースにおいて、前記貫通ねじ穴を同一円周上等間隔に複数個設けたものである。
【００１４】
また、前記観測用ブイのアンテナケースにおいて、前記ケース底板を貫通する防水コネクタを介して前記ブイ内に配置される送受信機と前記アンテナとが接続されるものである。
【発明の効果】
【００１５】
この発明の観測用ブイのアンテナケースによれば、製造コストが安くメインテナンスを容易に行うことができる。
【発明を実施するための最良の形態】
【００１６】
以下この発明を実施するための最良の形態を実施例に即して説明する。図１はこの発明の実施例である観測用ブイのアンテナケースを一部部材を透視して示す平面図、図２（ａ）は図１におけるＡ−Ａ断面図、図２（ｂ）は図１におけるＢ−Ｂ断面を示す部分断面図、図３（ａ）は図１におけるＢ−Ｂ断面図、図３（ｂ）は図１におけるＢ−Ｂ断面の他の状態を示す部分断面図である。
【００１７】
図１〜３に示すケース底板１はケース底板１のボルト貫通穴１ａ、１ａ…を貫通しケース上板２のねじ穴２ａ、２ａにねじ込まれるボルトによってケース上板２に締着されて、ケース上板２と共に内部にアンテナ収容空間３ａを有するアンテナケース３を構成する。ケース上板２とケース底板１はＯリング６およびＯリング７を挟みこんでおり、アンテナ収容空間３ａは防水された空間となる。
【００１８】
ケース底板１の取付用ねじ穴１ｃ、１ｃ…には図示していないブイの蓋の穴を貫通したボルトがねじ込まれアンテナケース３はブイの蓋に固定される。取付用ねじ穴１ｃ、１ｃ…の周囲にはシール材が挟みこまれ取付用ねじ穴１ｃ、１ｃ…の周囲の部分は防水構造となっている。アンテナ収容空間３ａ内に配置されたアンテナ４の給電点４ａはケース底板１を貫通する防水コネクタ５およびコードを介してブイ内に配置された送受信機に接続される。
【００１９】
定期点検時に、上記アンテナ収容空間３ａ内に配置されたアンテナ４が腐食していないかどうかを検査し、また、給電点４ａの半田付け部分の腐食や防水コネクタ５の腐食等を検査するためにケース上板２をケース底板１から外す。その場合、ケース上板２をケース底板１に締着したボルトを外して、ケース上板２をケース底板１から離すことになる。
【００２０】
上記の構成は図４〜５で説明した従来例のアンテナケース１３の構成と同じであるが、実施例のアンテナケース３ではケース底板１にケース底板１を貫通するねじ穴１ｂが同一円周上等間隔に４個設けられている。
【００２１】
貫通ねじ穴１ｂに図２（ｂ）に矢印で示すようにボルト８をねじ込む。ボルト８の長さは貫通ねじ穴１ｂの長さより長いので、ボルト８は図３（ｂ）に示すように、その先端がケース上板２に当接してケース上板２をケース底板１から離すようになる。
【００２２】
ボルト８の一度にねじ込む量を一定量とし、４個の貫通ねじ穴１ｂ、１ｂ…に４本のボルトを順次ねじ込むことによりケース上板２を大きく傾けることなく、ケース上板２の取外し作業を１人で楽に行える。
【００２３】
実施例は以上のように構成されているが発明はこれに限られず、例えば、ケース上板２を取外すための貫通ねじ穴をケース底板１に設けるのではなく、ケース上板２に設けても良い。ケース上板２は電波の透過性を良くするために合成樹脂性とする場合にも、貫通ねじ穴の部分の厚さや貫通ねじ穴のピッチを大きくして十分の引き離す力を得ることができる。
【００２４】
なお、貫通ねじ穴の位置はＯリングの外側の位置に設けられるので防水性能に影響を及ぼすことはない。貫通ねじ穴の数は４個に限られず、作業を容易とすために適宜その数を変更してもよい。また、貫通ねじ穴の配置は必ずしも等間隔でなくてもよい。
【００２５】
また、送受信機をアンテナケース内に配置してもよい。これにより、高周波信号の電通路が短くなり送受信の効率を高めることができる。そのために、アンテナケースが大きくなっても、この発明によると、アンテナケースを開くことが容易である。
【図面の簡単な説明】
【００２６】
【図１】この発明の実施例である観測用ブイのアンテナケースを一部部材を透視して示す平面図である。
【図２】図２（ａ）は図１におけるＡ−Ａ断面図、図２（ｂ）は図１におけるＢ−Ｂ断面を示す部分断面図である。
【図３】図３（ａ）は図１におけるＢ−Ｂ断面図、図３（ｂ）は図１におけるＢ−Ｂ断面の他の状態を示す部分断面図である。
【図４】従来の観測用ブイのアンテナケースを一部部材を透視して示す平面図である。
【図５】図５（ａ）は図４におけるＡ−Ａ断面図、図５（ｂ）は図４におけるＡ−Ａ断面の他の状態を示す部分断面図である。
【符号の説明】
【００２７】
１  ケース底板、１ａ  ボルト貫通穴、１ｂ  貫通ねじ穴、１ｃ  取付用ねじ穴
２  ケース上板、２ａ  ねじ穴
３  アンテナケース、３ａ  アンテナ収容空間
４  アンテナ、４ａ  給電点
５  防水コネクタ
６  Ｏリング
７  Ｏリング
８  ボルト
１１  ケース底板、１１ａ  ボルト貫通穴、１１ｃ  取付用ねじ穴
１２  ケース上板、１２ａ  ねじ穴
１３  アンテナケース、１３ａ  アンテナ収容空間
１４  特殊工具
【図１】
2010028410.tif 000003
【図２】
2010028410.tif 000004
【図３】
2010028410.tif 000005
【図４】
2010028410.tif 000006
【図５】
2010028410.tif 000007